(57)【要約】【課題】座板の上面に背板の前面が重なる折り畳みに代わって、椅子の左右幅が略半分に縮まるように折り畳まれ、折り畳みと正規状態へのセッティングがし易く、しかも構造が簡素化され、パイプ構成の新規な形態の椅子を形成し易い折り畳み椅子を提供する。【解決手段】左右の支持脚を連結する折り畳み連結部は、それぞれ左右の支持脚に後端が固定された左右の支持辺の先端開口にスライド自在に挿通された左右方向に長い板状の可撓性板と、それぞれ左右の支持辺内に収納されて一端部が固定され他端部が可撓性板の左右端部に緊張状態に接続された左右の伸縮部材とを備え、可撓性板は上下方向の屈曲に抗し前後方向に屈曲自在な板材であり、伸縮部材の縮み力によって左右の支持辺の先端面同士が当接し左右の支持辺が連続して椅子が広がった正規の状態を維持し、可撓性板の屈曲によって座席部と背もたれ部が左右両側から重なる方向へ折り曲げられること。【選択図】図３
2008061820.tif 000002
【特許請求の範囲】
【請求項１】
座席部と背もたれ部が左右両側から重なる方向へ折り曲げ自在に構成され、左右の支持脚が折り畳み連結部によって連結された椅子であって、前記折り畳み連結部は、それぞれ左右の支持脚に後端が固定された左右の支持辺と、前記左右の支持辺の先端開口にスライド自在に挿通された左右方向に長い板状の可撓性板と、それぞれ前記左右の支持辺内に収納されて一端部が固定され他端部が前記可撓性板の左右端部に緊張状態に接続された左右の伸縮部材とを備え、前記可撓性板は上下方向の屈曲に抗し前後方向に屈曲自在な板材であり、前記伸縮部材の縮み力によって前記左右の支持辺の先端面同士が当接し前記左右の支持辺が連続して前記椅子が広がった正規の状態を維持し、前記座席部と背もたれ部が左右両側から重なる方向へ折り曲げられることに伴う前記可撓性板の屈曲によって、前記左右の支持辺が近接方向へ折り畳まれることを特徴とする折り畳み式椅子。
【発明の詳細な説明】
【技術分野】
【０００１】
本発明は、座席部と背もたれ部が左右両側から重なる方向へ折り曲げ自在に構成され、左右の支持脚が折り畳み連結部によって連結された折り畳み式椅子に関する。
【背景技術】
【０００２】
座板の後端と背板の下端とをヒンジを介して折り曲げ自在に連結した椅子本体と、中間部の支軸を介して開閉脚自在に構成した略「Ｘ」字状の左右一対のＸ脚からなる支持脚と、各Ｘ脚の開脚状態を位置規制するストッパ部材とを備えた折り畳み椅子がある。（例えば、特許文献１参照）。
【特許文献１】特開２００２−２８２０８５号公報
【発明の開示】
【発明が解決しようとする課題】
【０００３】
特許文献１においては、座板の上面と背板の前面が重なるようにヒンジ部で折り畳みつつ、支軸を中心としてＸ脚からなる支持脚を閉脚することによって、折り畳まれた状態となる。この折り畳まれた状態では、椅子の前後方向の厚さは小さくなるが、座板又は背板の左右幅はそのまま残った状態であるため、椅子の左右幅は縮まらない。
【０００４】
本発明は、折り畳まれた状態において、椅子の左右幅が略半分に縮まるように折り畳まれる椅子を提供するものである。この場合、折り畳みと正規状態へのセッティングがし易く、しかも構造が簡素化され、パイプ構成の新規な形態の椅子を形成し易い折り畳み椅子を提供するものである。
【課題を解決するための手段】
【０００５】
第１発明の折り畳み式椅子は、座席部と背もたれ部が左右両側から重なる方向へ折り曲げ自在に構成され、左右の支持脚が折り畳み連結部によって連結された椅子であって、前記折り畳み連結部は、それぞれ左右の支持脚に後端が固定された左右の支持辺と、前記左右の支持辺の先端開口にスライド自在に挿通された左右方向に長い板状の可撓性板と、それぞれ前記左右の支持辺内に収納されて一端部が固定され他端部が前記可撓性板の左右端部に緊張状態に接続された左右の伸縮部材とを備え、前記可撓性板は上下方向の屈曲に抗し前後方向に屈曲自在な板材であり、前記伸縮部材の縮み力によって前記左右の支持辺の先端面同士が当接し前記左右の支持辺が連続して前記椅子が広がった正規の状態を維持し、前記座席部と背もたれ部が左右両側から重なる方向へ折り曲げられることに伴う前記可撓性板の屈曲によって、前記左右の支持辺が近接方向へ折り畳まれることを特徴とする。
【発明の効果】
【０００６】
第１の発明では、左右方向に長い板状の可撓性板と、この可撓性板の左右端部に緊張状態に接続された左右の伸縮部材との作用によって、伸縮部材の縮み力によって左右の支持辺の先端面同士が当接し、左右の支持辺が連続して、椅子が広がった正規の状態を維持する。このため、椅子が広がった正規の状態において、左右の支持辺の先端面同士の当接と、可撓性板の上下方向の屈曲に抗する作用によって、座席部に腰掛けたときの荷重の支えは十分維持される。そして、折り畳みは、可撓性板が屈曲しつつ左右の支持辺が近接方向へ後方に折り畳まれることによって達成できるため、折り畳みと正規状態へのセッティングに工具は不要であり、操作がし易いものとなる。
【発明を実施するための最良の形態】
【０００７】
本発明の折り畳み式椅子は、座席部と背もたれ部が左右両側から重なる方向へ折り曲げ自在に構成され、左右の支持脚が折り畳み連結部によって連結された椅子であって、前記折り畳み連結部は、それぞれ左右の支持脚に後端が固定された左右の支持辺と、前記左右の支持辺の先端開口にスライド自在に挿通された左右方向に長い板状の可撓性板と、それぞれ前記左右の支持辺内に収納されて一端部が固定され他端部が前記可撓性板の左右端部に緊張状態に接続された左右の伸縮部材とを備え、前記可撓性板は上下方向の屈曲に抗し前後方向に屈曲自在な板材であり、前記伸縮部材の縮み力によって前記左右の支持辺の先端面同士が当接し前記左右の支持辺が連続して前記椅子が広がった正規の状態を維持し、前記座席部と背もたれ部が左右両側から重なる方向へ折り曲げられることに伴う前記可撓性板の屈曲によって、前記左右の支持辺が近接方向へ折り畳まれる構成であり、本発明の実施例を以下に記載する。
【実施例１】
【０００８】
次に、本発明の実施の形態について説明する。図１は本発明に係る椅子の斜視図、図２は本発明に係る椅子を折り畳み途上状態の斜視図、図３は本発明に係る椅子の左右の支持脚を連結する折り畳み連結部の断面図、図４は本発明に係る椅子の左右の支持脚を連結する折り畳み連結部の可撓性板の部分の斜視図である。
【０００９】
本発明の実施形態を図に基づき説明する。本発明に係る折り畳み式椅子１は、座席部２と背もたれ部３が左右両側から重なる方向へ折り曲げ自在となるように、左右の支持脚４Ａ、４Ｂが折り畳み連結部５によって連結されたものである。
【００１０】
その一つの形態として、図示のように、座席部２と背もたれ部３は、その左右両側に金属製パイプの支持部材６Ａ、６Ｂが配置され、支持部材６Ａ、６Ｂに渡って布材（シート材）７が取り付けられた構成によって形成されている。布材（シート材）７は、一連の合成樹脂製シートによって構成されたものでもよいが、或いは、天然繊維、合成繊維、またはこれらの混合繊維でもって一連の布材（シート材）に形成されたもののいずれであってもよく、折り曲げ自在な構成である。また、他の形態として、座席部２と背もたれ部３は、これらの資材によって別個に構成されたものであってもよい。
【００１１】
左右の支持脚４Ａ、４Ｂは、金属製パイプによって左側面形状が略Ｚ字状に形成され、その斜めに延びる中間辺４Ａ１、４Ｂ１が座席部２の左右両側で支持部材６Ａ、６Ｂにネジ８によって固定され、支持脚４Ａ、４Ｂの上辺４Ａ２、４Ｂ２は座席部２の左右両側へ延びて肘掛部１０Ａ、１０Ｂを一連に形成し、後端部が背もたれ部３の左右両側で支持部材６Ａ、６Ｂにネジ９によって固定され、支持脚４Ａ、４Ｂの下辺４Ａ３、４Ｂ３は床や地面に当接する基台部１１Ａ、１１Ｂを形成した構成である。基台部１１Ａ、１１Ｂの後端部には、椅子１の移動をし易くするために、基台部１１Ａ、１１Ｂの下面よりも若干上位置になるようローラ１２が取り付けられ、椅子１を若干後方へ倒したときローラ１２が床や地面に接地し、椅子１の移動に伴ってローラ１２が回転できる状態である。
【００１２】
折り畳み連結部５は、それぞれ左右の支持脚４Ａ、４Ｂに後端が固定された左右の支持辺５Ｌ、５Ｒと、この左右の支持辺５Ｌ、５Ｒの先端開口２１にスライド自在に挿通された左右方向に長い板状の可撓性板１３と、それぞれ左右の支持辺５Ｌ、５Ｒ内に収納されて可撓性板１３の左右端部に緊張状態に接続された左右の伸縮部材１４Ａ、１４Ｂとを備えている。
【００１３】
これを更に図３に基づき具体的に説明する。支持辺５Ｌの主体部はパイプ５Ａで構成され、支持辺５Ｒの主体部はパイプ５Ｂで構成されている。そして、左右のパイプ５Ａ、５Ｂの後端には、それぞれ略直角に連結パイプ１５が溶接されており、それぞれ上下２部品に分割された中間辺４Ａ１、４Ｂ１の下側部分に連結棒１５Ａの下部が挿入され、その挿入部分１５Ｂで溶接固定している。そして、左右の連結パイプ１５に連結棒１５Ａの中間部が回動自在に差し込まれた状態で、それぞれ中間辺４Ａ１、４Ｂ１の上側部分に連結棒１５Ａの上部を差し込み、連結棒１５Ａの中間部に対して左右の連結パイプ１５が回動自在な状態を保持した関係で、ネジ２２にて中間辺４Ａ１、４Ｂ１の上側部分に連結棒１５Ａを固定している。
【００１４】
左右の支持パイプ５Ａ、５Ｂの先端開口部には、合成樹脂製のホルダ１６Ａ、１６Ｂが挿入され、合成樹脂製のホルダ１６Ａ、１６Ｂはネジ１１によってそれぞれ支持パイプ５Ａ、５Ｂに固定されている。ホルダ１６Ａは、支持パイプ５Ａの先端開口部側に板状の可撓性板１３をスライド可能（スライド自在）に収納する矩形状の空室１７Ａを形成し、空室１７Ａの後側に伸縮部材１４Ａが挿通される通し孔１８Ａが連通して、中空状をなしている。また、ホルダ１６Ｂは、支持パイプ５Ｂの先端開口部側に板状の可撓性板１３をスライド可能（スライド自在）に収納する縦断面矩形状の空室１７Ｂを形成し、空室１７Ｂの後側に伸縮部材１４Ｂが挿通される通し孔１８Ｂが連通して、中空状をなしている。
【００１５】
この構成によって、左右の支持辺５Ｌ、５Ｒのそれぞれの先端開口２１は、ホルダ１６Ａ、１６Ｂの先端に臨む空室１７Ａ、１７Ｂの開口として形成され、支持辺５Ｌ、５Ｒのそれぞれの先端面２０は、縦方向に平坦面で形成されている。
【００１６】
可撓性板１３は、前後方向が厚さを形成し、上下方向が幅を形成して左右に長く延び、前後方向にフレキシブルな可撓性板状をなす。このような形態の可撓性板１３は、ガラス繊維強化ナイロン等の合成樹脂で構成することによって、前後方向には屈曲自在であるが、上下方向には屈曲に抗する十分な強度を有する形態とすることができ、後述のように、左右両側から折り畳む方式の折り畳み椅子１として十分な強度と屈曲自在性を確保できるものとなる。なお、可撓性板１３は、金属製板バネの複数枚を前後に重ね合わせた構成とすることもできる。
【００１７】
伸縮部材１４Ａ、１４Ｂは、伸縮自在なゴム製がコストも低廉になるが、コイルバネで構成することもできる。図示のものはゴム製であり、それぞれ後端部がホルダ１６Ａ、１６Ｂの後端部に係止して固定されるように結び目１４Ａ１、１４Ｂ１を形成し、それぞれ先端部１４Ａ２、１４Ｂ２が可撓性板１３の左右端部に形成した係止孔１９に係止して接続しており、この状態で、伸縮部材１４Ａ、１４Ｂは、若干延びた状態の緊張状態を保っている。結び目１４Ａ１、１４Ｂ１の代わりにストッパリングを取り付け、このストッパリングがホルダ１６Ａ、１６Ｂの後端部に係止して固定されるように構成してもよい。
【００１８】
また、伸縮部材１４Ａ、１４Ｂをコイルバネで構成する場合は、それぞれのコイルバネの後端部がホルダ１６Ａ、１６Ｂの後端部に係止して固定され、それぞれの先端部が可撓性板１３の左右端部に形成した係止孔１９に係止して接続し、この状態で、コイルバネが若干延びた状態の緊張状態を保つ状態とする。
【００１９】
このような構成において、椅子１が開いた正規の使用状態は図１及び図３に示すように、折り畳み連結部５は、略直線状に連続した棒状をなすように、伸縮部材１４Ａ、１４Ｂの縮み力によって、左右の支持辺５Ｌ、５Ｒのそれぞれの先端面２０同士が当接し、椅子１が広がった正規の状態となる。この状態において、伸縮部材１４Ａ、１４Ｂは、若干延びた状態の緊張状態を保っており、可撓性板１３は左右に直線状態に延びている。このため、椅子１の座席部２に腰掛けた状態で荷重が掛かっても、可撓性板１３は、上下方向には屈曲に抗する十分な強度を有するため、上下方向には屈曲せず、左右の支持辺５Ｌ、５Ｒが上下方向に折り畳まれることはなく、安定した正規の状態を維持することができる。
【００２０】
椅子１の折り畳みは、図２に示すように、それぞれ座席部２と背もたれ部３を縦方向中央部において、左右両側から重なる方向へ折り曲げることに伴い、左右の支持辺５Ｌ、５Ｒは、それぞれの先端面２０同士の当接部を境にして後方へ移動し、伸縮部材１４Ａ、１４Ｂが伸張した状態でもって可撓性板１３は、左右の支持辺５Ｌ、５Ｒのそれぞれの先端開口２１を若干スライドしつつ、中間部で屈曲して左右両側部分が後方へ移動し、左右の支持辺５Ｌ、５Ｒが近接方向へ折り畳まれる。この場合、可撓性板１３の中間部は、図４に示すように、左右の支持辺５Ｌ、５Ｒの先端面２０から露出した状態となる。
【００２１】
上記のように、左右方向に長い板状の可撓性板１３と、この可撓性板１３の左右端部に緊張状態に接続された左右の伸縮部材１４Ａ、１４Ｂとの作用によって、伸縮部材１４Ａ、１４Ｂの縮み力によって左右の支持辺５Ｌ、５Ｒの先端面２０同士が当接し、左右の支持辺５Ｌ、５Ｒが連続して、椅子１が広がった正規の状態を維持する。このように椅子１が広がった正規の状態において、左右の支持辺５Ｌ、５Ｒの先端面２０同士の当接と、可撓性板１３の上下方向の屈曲に抗する作用によって、座席部２に腰掛けたときの荷重の支えは十分維持される。そして、折り畳みは、可撓性板１３が屈曲しつつ左右の支持辺５Ｌ、５Ｒが近接方向へ後方に折り畳まれることによって達成できるため、折り畳みと正規状態へのセッティングに工具は不要であり、操作がし易いものとなる。
【産業上の利用可能性】
【００２２】
本発明は、上記実施形態に限定されず、本発明の技術的範囲を逸脱しない限り、種々の変更が考えられ、それに係る種々の実施形態を包含するものである。
【図面の簡単な説明】
【００２３】
【図１】本発明に係る椅子の斜視図である。（実施例１）
【図２】本発明に係る椅子を折り畳み途上状態の斜視図である。（実施例１）
【図３】本発明に係る椅子の左右の支持脚を連結する折り畳み連結部の断面図である。（実施例１）
【図４】本発明に係る椅子の左右の支持脚を連結する折り畳み連結部の可撓性板の部分の斜視図である。（実施例１）
【符号の説明】
【００２４】
１・・・・椅子
２・・・・座席部
３・・・・背もたれ部
４Ａ、４Ｂ・・・・支持脚
４Ａ１、４Ｂ１・・支持脚４Ａ、４Ｂの中間辺
４Ａ２、４Ｂ２・・支持脚４Ａ、４Ｂの上辺
４Ａ３、４Ｂ３・・支持脚４Ａ、４Ｂの下辺
５・・・・折り畳み連結部
５Ａ、５Ｂ・・・・支持パイプ
５Ｌ、５Ｒ・・・・折り畳み連結部５の左右の支持辺
６Ａ、６Ｂ・・・・支持部材
７・・・・布材（シート材）
１０Ａ、１０Ｂ・・肘掛部
１３・・・可撓性板
１４Ａ、１４Ｂ・・伸縮部材
１６Ａ、１６Ｂ・・ホルダ
１７Ａ、１７Ｂ・・空室
１８Ａ、１８Ｂ・・通し孔
２０・・・支持辺５Ｌ、５Ｒの先端面
２１・・・支持辺５Ｌ、５Ｒの先端開口
【図１】
2008061820.tif 000003
【図２】
2008061820.tif 000004
【図３】
2008061820.tif 000005
【図４】
2008061820.tif 000006